(57)【要約】【課題】車体を利用した救命筏の製造に有用な救命筏製造用型枠、救命筏の製造方法及び救命筏を提供する。【解決手段】救命筏製造用型枠１は、自動車を利用した救命筏の製造に用いられる救命筏製造用型枠１であって、自動車の車体の底部に対応する形状の底板部１０と、底板部１０の周縁に沿って立設し、底板部１０を囲う囲板部２０と、を備える。【選択図】図１
2018062257.tif 000002
【特許請求の範囲】
【請求項１】
自動車を利用した救命筏の製造に用いられる救命筏製造用型枠であって、
自動車の車体の底部に対応する形状の底板部と、
前記底板部の周縁に沿って立設し、前記底板部を囲う囲板部と、を備える、
ことを特徴とする救命筏製造用型枠。
【請求項２】
前記救命筏製造用型枠は、前記底板部が分割された複数の分割型枠から構成される、
ことを特徴とする請求項１に記載の救命筏製造用型枠。
【請求項３】
前記分割型枠は、前記車体の底部左側に配置される左側分割型枠、及び、前記車体の底部右側に配置される右側分割型枠から構成される、
ことを特徴とする請求項２に記載の救命筏製造用型枠。
【請求項４】
前記分割型枠は、前記車体の底部前側に配置される前側分割型枠、前記車体の底部中央部に配置される中央分割型枠、及び、前記車体の底部後側に配置される後側分割型枠から構成される、
ことを特徴とする請求項２に記載の救命筏製造用型枠。
【請求項５】
自動車の車体の底部に開口部が前記車体を向くように請求項１乃至４のいずれか一項に記載の救命筏製造用型枠を配置して固定し、
前記車体の開口箇所から発泡樹脂材料を充填し、
前記発泡樹脂材料を発泡、硬化させて前記車体の空間を発泡樹脂で埋めて救命筏を得る、
ことを特徴とする救命筏の製造方法。
【請求項６】
自動車の車体の底部に開口部が前記車体を向くように請求項１乃至４のいずれか一項に記載の救命筏製造用型枠が配置され、
前記車体と前記救命筏製造用型枠とが発泡樹脂で接着されて一体化しているとともに、前記車体の空間が前記発泡樹脂で埋められている、
ことを特徴とする救命筏。
【発明の詳細な説明】
【技術分野】
【０００１】
本発明は、救命筏製造用型枠、救命筏の製造方法及び救命筏に関する。
【背景技術】
【０００２】
津波や台風、豪雨などによる水害が発生した際、人が海や川に流されて命を落とす事態がある。海や河川近傍などに生活基盤をおく者にとっては、救命筏が用意されていると、万一の事態でも命を救える可能性がある。
【０００３】
このような救命筏として、例えば、自動車を利用し、車体のエンジンルームやトランクルームなどに発泡樹脂を備えたもの（例えば、特許文献１、２）が提案されている。通常、自動車は水害にあったとき、時間とともに水が浸入してやがて水没し、救命筏としての役目を果たすことができないが、特許文献１、２のように、発泡樹脂を備える自動車では、長時間に渡って浮遊することができるようになる。
【先行技術文献】
【特許文献】
【０００４】
【特許文献１】登録実用新案第３１７５０９３号公報
【特許文献２】特開２０１５−１６８３１２号公報
【発明の概要】
【発明が解決しようとする課題】
【０００５】
特許文献１、２の自動車を利用した救命筏を得るにあたり、車体の空間を発泡樹脂成形体で埋める必要があるが、発泡樹脂材料を車体の空間に充填し、発泡、硬化させる場合、以下の問題がある。車体の構造上、エンジンルームの下方が開放されていること、また、水抜きや軽量化等のためにシャーシ等に多数の穴が設けられていることから、発泡樹脂材料を流し込んでも、発泡樹脂材料が発泡、硬化する前に下方に流れ落ちてしまう。このため、事前にエンジンルームの底部やシャーシの穴を塞ぐ必要があり、作業が繁雑で容易ではなかった。
【０００６】
本発明は、上記事項に鑑みてなされたものであり、その目的とするところは、車体を利用した救命筏の製造に有用な救命筏製造用型枠、救命筏の製造方法及び救命筏を提供することにある。
【課題を解決するための手段】
【０００７】
本発明の第１の観点に係る救命筏製造用型枠は、
自動車を利用した救命筏の製造に用いられる救命筏製造用型枠であって、
自動車の車体の底部に対応する形状の底板部と、
前記底板部の周縁に沿って立設し、前記底板部を囲う囲板部と、を備える、
ことを特徴とする。
【０００８】
また、前記救命筏製造用型枠は、前記底板部が分割された複数の分割型枠から構成されていてもよい。
【０００９】
また、前記分割型枠は、前記車体の底部左側に配置される左側分割型枠、及び、前記車体の底部右側に配置される右側分割型枠から構成されていてもよい。
【００１０】
また、前記分割型枠は、前記車体の底部前側に配置される前側分割型枠、前記車体の底部中央部に配置される中央分割型枠、及び、前記車体の底部後側に配置される後側分割型枠から構成されていてもよい。
【００１１】
本発明の第２の観点に係る救命筏の製造方法は、
自動車の車体の底部に開口部が前記車体を向くように本発明の第１の観点に係る救命筏製造用型枠を配置して固定し、
前記車体の開口箇所から発泡樹脂材料を充填し、
前記発泡樹脂材料を発泡、硬化させて前記車体の空間を発泡樹脂で埋めて救命筏を得る、
ことを特徴とする。
【００１２】
本発明の第３の観点に係る救命筏は、
自動車の車体の底部に開口部が前記車体を向くように本発明の第１の観点に係る救命筏製造用型枠が配置され、
前記車体と前記救命筏製造用型枠とが発泡樹脂で接着されて一体化しているとともに、前記車体の空間が前記発泡樹脂で埋められている、
ことを特徴とする。
【発明の効果】
【００１３】
本発明に係る救命筏製造用型枠によれば、事前にエンジンルームの底部やシャーシの穴を塞ぐ必要がなく、発泡樹脂材料を充填することができるので、車体を利用した救命筏の製造を容易に行うことが可能である。
【図面の簡単な説明】
【００１４】
【図１】救命筏製造用型枠の斜視図である。
【図２】救命筏を製造している様子を示す図である。
【図３】救命筏の断面図である。
【図４】他の形態に係る救命筏製造用型枠の斜視図である。
【図５】救命筏製造用型枠を車体の下に配置している様子を示す図である。
【図６】救命筏製造用型枠を車体の下に配置している様子を示す図である。
【図７】他の形態に係る救命筏製造用型枠の斜視図である。
【図８】救命筏製造用型枠を車体の下に配置している様子を示す図である。
【発明を実施するための形態】
【００１５】
（救命筏製造用型枠）
救命筏製造用型枠は、自動車を利用した救命筏を製造する際に用いられる型枠である。救命筏製造用型枠１は、図１に示すように、底板部１０と囲板部２０とを備える。
【００１６】
底板部１０は、自動車の車体の下部形状に対応した形状をしている。具体的には、自動車には４つのタイヤがあるので、底板部１０はその４つのタイヤを避ける形状であり、例えば、長方形や角を落とした長方形から、自動車の４つのタイヤに干渉する箇所が凹状に窪んだ形状をしている。
【００１７】
囲板部２０は、底板部１０の周縁から立設した閉ループの囲い板である。囲板部２０の高さは、救命筏製造用型枠１が車体の下部空間に配置できるよう、地面から車体底部までの高さよりも低く設定される。
【００１８】
救命筏製造用型枠１は、金属、木材、樹脂、ガラス繊維強化プラスチック、炭素繊維強化プラスチックなど種々の素材から製造される。救命筏製造用型枠１は、例えば、所定形状の型枠を用いた鋳造法や、板状の材料から上述した形状に底板部１０を切り出し、底板部１０を囲うように囲板部２０を設置し、接合して製造されるなど、公知の手法により製造され得る。
【００１９】
（救命筏の製造方法）
続いて、上記の救命筏製造用型枠１を用いた救命筏の製造方法について説明する。まず、車体ＣＡのエンジン等、取り外せる部品を取り外す。得られる救命筏が水に浮きやすくなるよう、車体ＣＡ中に充填される発泡樹脂の量を増やすため、また、救命筏の重量を小さくするためである。
【００２０】
そして、図２に示すように、車体ＣＡの下方空間に救命筏製造用型枠１を配置する。救命筏製造用型枠１は、開口部が車体ＣＡの底部を向くように配置される。救命筏製造用型枠１の車体ＣＡの下方空間への配置は、例えば、車体ＣＡをクレーン等で吊り上げて、救命筏製造用型枠１を車体ＣＡの下に配置すればよい。
【００２１】
そして、車体ＣＡに救命筏製造用型枠１を固定する。救命筏製造用型枠１の固定手法については、公知の手法で行えばよい。例えば、図２に示すように、ジャッキ３０で救命筏製造用型枠１を車体ＣＡに押し付けて固定する手法が挙げられる。また、ロープやチェーン等で救命筏製造用型枠１を吊り上げて車体ＣＡに固定する手法などが挙げられる。
【００２２】
救命筏製造用型枠１を車体ＣＡの下部に固定した後、車体の開口箇所から発泡樹脂材料を充填する。例えば、ボンネット（エンジンフード）を開けてエンジンルームに発泡樹脂材料を充填する。また、トランクフードを開けてトランクルームに発泡樹脂材料を充填する。また、通常、キャビンの床には、内装を剥がすと、穴が複数開いているので、その穴から発泡樹脂材料を充填することもできる。発泡樹脂材料は流動性があるので下方に流れていくが、設置されている救命筏製造用型枠１で受け止められ、車体ＣＡの空間を満たしていく。
【００２３】
用いる発泡樹脂は特に限定されるものではなく、例えば、発泡ポリウレタン、発泡ポリスチレン、発泡ポリエチレン、発泡ポリプロピレン、発泡ポリフェノール、発泡ゴム等、種々のものを用いることができる。なお、これらの材料は、単独で用いてもよく、２種以上を併用してもよい。
【００２４】
充填した発泡樹脂材料は、時間経過とともに発泡、硬化し、図３に示すように、充填された箇所の形状に応じた発泡樹脂成形体ＰＦとなる。このようにして、車体ＣＡの空間、具体的には、車体のキャビンを除くエンジンルーム、トランクルーム等と救命筏死蔵用型枠１で囲まれた空間を発泡樹脂成形体ＰＦで埋めることができる。車体ＣＡと救命筏製造用型枠１とは発泡樹脂成形体ＰＦにより接着されるので、車体、救命筏製造用型枠１及び発泡樹脂成形体ＰＦとが一体化した救命筏が得られる。
【００２５】
このように、救命筏製造用型枠１を用いることで、廃車等の車体を利用し、容易に救命筏の製造が可能になる。更に、作業時間を短縮でき、製造コストも低減できる。
【００２６】
以上のようにして得られた救命筏は、津波や台風などによる災害時に、発泡樹脂成形体ＰＦの浮力により水に浮遊する。このため、逃げ遅れた者や速やかな避難が困難な者が乗り込み、避難することができる。また、車体ＣＡは閉鎖された空間となるため、救命筏に避難した者は、漂流物の衝突を車体ＣＡで守られるので、怪我をすることも抑えられる。
【００２７】
また、救命筏製造用型枠１により発泡樹脂成形体ＰＦの露出が抑えられるため、発泡樹脂成形体ＰＦが紫外線等で劣化することが抑えられ、耐候性に優れる。
【００２８】
なお、車体ＣＡのエンジンルームやトランクルームには凹凸があるので、その凹凸を埋めるように成型された発泡樹脂成形体ＰＦは、車体ＣＡから外れてしまう恐れが小さいが、発泡樹脂成形体ＰＦが車体ＣＡから外れることを更に抑えるべく、エンジンルーム内に棒状体等で接ぎ木してから発泡樹脂材料を充填してもよい。発泡樹脂成形体ＰＦが接ぎ木を覆うように成形されるので、発泡樹脂成形体ＰＦが車体ＣＡから外れることが抑えられる。
【００２９】
また、バッテリーを取り外した場合、電動式の開閉窓ガラスでは、窓ガラスの開閉ができなくなる。この場合、窓ガラスに取手を取り付け、取手をつまんで上下動させることにより、手動で窓ガラスを開閉できるようにすることもできる。車内の換気や、安全な場所に辿り着いた際に、車体ＣＡのドアが破損等で開かなくなった場合に有用である。
【００３０】
なお、上記では単一の救命筏製造用型枠１について説明したが、底板部１０が複数の分割型枠から構成されていてもよい。
【００３１】
例えば、図４に示す救命筏製造用型枠２ように、右側分割型枠２ａ、左側分割型枠２ｂから構成されていてもよい。右側分割型枠２ａ及び左側分割型枠２ｂのそれぞれの底板部１０は、それぞれの底板部１０の周縁に沿って囲板部２０が立設し、それぞれの底板部１０を囲っている。そして、右側分割型枠２ａ及び左側分割型枠２ｂをくっつけることにより、上述したように、底板部１０が車体ＣＡの底部の形状に対応した形状となっている。
【００３２】
救命筏製造用型枠２を車体ＣＡの下方に配置する場合、例えば、以下のように行うことができる。図５に示すように、車体ＣＡを吊り上げることなく、右側分割型枠２ａ、左側分割型枠２ｂを重ねて、車体ＣＡの前方或いは後方から車体ＣＡの左右のタイヤの間を通るように挿入する。右側分割型枠２ａ及び左側分割型枠２ｂの高さの和が地面から車体ＣＡ底部までの高さよりも小さく設定されていれば、右側分割型枠２ａ及び左側分割型枠２ｂを重ねても車体ＣＡと干渉することなく挿入することができる。
【００３３】
そして、図６に示すように、右側分割型枠２ａを車体ＣＡの右側へ移動させ、また、左側分割型枠２ｂを車体ＣＡの左側へ移動させる。このように、救命筏製造用型枠２では、車体ＣＡを浮かせることなく、右側分割型枠２ａ及び左側分割型枠２ｂを車体の下方に配置することが可能となる。
【００３４】
また、図７に示す救命筏製造用型枠３のように、前側分割型枠３ａ、中央分割型枠３ｂ、後側分割型枠３ｃから構成されてもよい。ここで、中央分割型枠３ｂの底板部１０は略矩形状、前側分割型枠３ａ及び後側分割型枠３ｃの底板部１０は略Ｔ字形状をしている。そして、それぞれの底板部１０の周縁に沿って囲板部２０が立設し、底板部１０を囲っている。
【００３５】
上記の救命筏製造用型枠３を車体ＣＡの下方空間に配置する場合、図８に示すように、前側分割型枠３ａは車体ＣＡの前方から、中央分割型枠３ｂは車体ＣＡの側方から、後側分割型枠３ｃは車体ＣＡの後方から、それぞれ車体ＣＡの下部空間に挿入して配置することができるこのように、救命筏製造用型枠３では、前側分割型枠３ａ、中央分割型枠３ｂ、及び、後側分割型枠３ｃをそれぞれ別々の方向から車体ＣＡの下方空間に挿入できるので、挿入する際にそれぞれが接触して干渉することがなく、容易に配置することができる。
【００３６】
上記では、２つ、又は、３つに底板部１０が分割された救命筏製造型枠２、３について説明したが、４つ以上に分割されていてもよい。
【符号の説明】
【００３７】
１    救命筏製造用型枠
２    救命筏製造用型枠
２ａ  右側分割型枠
２ｂ  左側分割型枠
３    救命筏製造用型枠
３ａ  前側分割型枠
３ｂ  中央分割型枠
３ｃ  後側分割型枠
１０    底板部
２０    囲板部
３０    ジャッキ
ＣＡ    車体
ＰＦ    発泡樹脂成形体
【図１】
2018062257.tif 000003
【図２】
2018062257.tif 000004
【図３】
2018062257.tif 000005
【図４】
2018062257.tif 000006
【図５】
2018062257.tif 000007
【図６】
2018062257.tif 000008
【図７】
2018062257.tif 000009
【図８】
2018062257.tif 000010